【手続補正書】
【提出日】平成20年8月28日(2008.8.28)
【手続補正１】
【補正対象書類名】明細書
【補正対象項目名】特許請求の範囲
【補正方法】変更
【補正の内容】
【特許請求の範囲】
【請求項１】無認可の第１無線通信システムの第１ネットワーク・コントローラにおいて、移動局とのデータ通信接続を設定する工程と、但し、該第１ネットワーク・コントローラは、該無認可の第１無線通信システムの複数のサービス領域を、第２無線通信システムに通信可能に接続する；
該移動局から位置情報を受領する工程と；、
受領した該位置情報に基づいて、該移動局を、該無認可の第１無線通信システムの第２ネツトワーク・コントローラに方向転換する工程と；を含む方法。
【請求項２】請求項１記載の方法において、該移動局から位置情報を受領する工程は、登録要求を受領する工程を含み、該登録要求は、該位置情報を含む。
【請求項３】請求項１記載の方法において、該方法は、該設定されたデータ通信接続を介して、データを通信する工程を更に含み、位置情報を受領する工程は、該データを通信する工程の後に、該移動局から位置情報を受領する工程を含む。
【請求項４】請求項１記載の方法において、該方法が更に含む工程は：
該受領した位置情報を、利用可能なネツトワーク・コントローラと比較する比較工程と；
該比較工程に基づいて、該ネツトワーク・コントローラを選択する選択工程とを含み；
該方向転換の工程は、該選択されたネツトワーク・コントローラの宛先を、該移動局に送付する宛先送付工程を含む。
【請求項５】請求項４記載の方法において、該宛先送付工程は、該登録要求に応答して宛先を送付する工程を含む。
【請求項６】請求項１記載の方法において、該位置情報を受領する工程は、セルラー通信システムの識別を受けたセルを含む。
【請求項７】請求項６記載の方法において、該方向転換の工程は、該移動局を、セルラー通信システムの該識別を受けたセルと組み合わさった該ネツトワーク・コントローラに向けて方向転換する工程を含む。
【請求項８】請求項１記載の方法において、該データ通信接続は、該移動局と無線接続する無線アクセスポイントを介して行われ、該位置情報を受領する工程は、無線アクセスポイントのを受領する工程含み、 そして、該方向転換する工程は、該移動局を、該無線アクセスポイントと組み合わさったネツトワーク・コントローラに向けて方向転する工程を含む。
【請求項９】請求項４記載の方法において、該ネツトワーク・コントローラを選択する選択工程は、識別され且つ接続された無線アクセスポイントの位置を決定する工程を含み、
更に、該接続された無線アクセスポイントの該決定された位置の近傍の位置で働くセルラー通信システムのセルを識別する工程を含み、
該選択工程は、該識別されたセルラー通信システムのセルに関連付けられたネットワーク・コントローラを選択する工程を含む。
【請求項１０】請求項１記載の方法において、該方法は、受領した位置情報を評価して、該受領した位置情報が、位置情報サービスにとって充分なものであるか否かを決定する工程を含み、更に、仮に該受領した位置情報が位置情報サービスにとって充分なものである場合は、該位置情報サービスが利用可能である旨を、該移動局に対して表示す工程を含む。
【請求項１１】無認可の第１無線通信システムのネットワーク・コントローラにおいて、該ネットワーク・コントローラは、該無認可の第１無線通信システムの複数のサービス領域を、第２無線通信システムに通信可能に接続し、該ネットワーク・コントローラは：
設定されたデータ通信接続を介して、移動局と通信するインターフエースを含み、該インターフエースを介して、該移動局から位置情報を受領し；更に
該ネットワーク・コントローラは：
プロセッサを含み、該プロセッサは、位置情報を適用して該移動局のためのネットワーク・コントローラを選択し、方向転換メッセージを公式化して該移動局を該選択されたネットワーク・コントローラに向けて方向転換する。
【請求項１２】請求項１１項記載のネットワーク・コントローラにおいて、該インターフエースは、登録要求を受領し、該登録要求は、を含む。
【請求項１３】請求項１１項記載のネットワーク・コントローラにおいて、該ネットワーク・コントローラは、更に：
利用可能なネットワーク・コントローラに対する位置情報の表を記憶するメモリを含み、該プロセッサは、該受領した位置情報を、該表における位置情報と比較して、ネットワーク・コントローラを選択する工程を含む。
【請求項１４】請求項１３項記載のネットワーク・コントローラにおいて、該データ通信接続は、無線アクセスポイントを介して行われ、該無線アクセスポイントは、該移動局との無線接続を有し、該位置情報は,該無線アクセスポイントの識別を含み、該表は、ネットワーク・コントローラを、無線アクセスポイントと組み合わせる。
【請求項１５】無認可の第１無線通信システムのネットワーク・コントローラに対して、移動局とのデータ通信接続を設定する設定工程を含む方法において：
該方法は、該第１ネットワーク・コントローラが、該無認可の第１無線通信システムの複数のサービス領域を、認可された第２無線通信システムに通信可能に接続する工程を更に含み；
該方法は、位置情報を、該第１ネットワーク・コントローラに送付する送付工程を更に含み；
該方法は、該位置情報の送付工程に応えて、該方向転換メッセージを該移動局で受領して、該移動局を該無認可の第１無線通信システムの第２ネットワーク・コントローラに向けて方向転換する工程を更に含む。
【請求項１６】請求項１５記載の方法において、該方法は、該位置情報の送付工程を含み、
該位置情の送付工程は、登録要求の送付工程を含み、
該登録要求は、該位置情報を含む。
【請求項１７】請求項１５記載の方法において、該接続は、無線アクセスポイントを介して行われ、該方法は、セルラー通信システムからの送信の受領工程に基づいて、該位置情報を獲得する工程を更に含む。
【請求項１８】請求項１７記載の方法において、該位置情報の送付工程は、該セルラー通信システムのセルを識別したことを送付する工程を含む。
【請求項１９】請求項１８記載の方法において、該方向転換メッセージの受領工程は、該セルラー通信システムの識別されたセルに組み合わされたネットワーク・コントローラに向けた方向転換を受領する工程を含む。
【請求項２０】請求項１５記載の方法において、該データ通信接続は、無線アクセスポイントを介して行われ、該無線アクセスポイントは、該移動局に対する無線接続を有し、そして、該位置情の送付工程は、該無線アクセスポイントの識別を送付する工程を含み、且つ、該方法は、該方向転換メッセージを受領する工程を含み、該向転換メッセージを受領する工程は、該無線アクセスポイントと組み合わされたネットワーク・コントローラに向けた方向転換を受領する工程を更に含む。
【請求項２１】請求項１５記載の方法において、該方法は、
登録要求を、異なるネットワーク・コントローラに向けて送付する工程を含む。
【請求項２２】移動局であって、該移動局は：
送信器を含み、該送信器は、ネットワーク・コントローラとの間の該設定されたデータ通信接続を用いて、位置情報を、無認可の第１無線通信システムのネットワーク・コントローラの第１ネットワーク・コントローラに送付し、該第１ネットワーク・コントローラは、該ネットワーク・コントローラとの該設定されたデータ通信接続を用いて、該第１通信システムの複数のサービス領域を、認可された第２無線通信システムに
該通信可能に接続し；
該移動局は：更に、受信機を含み、該受信機は、方向転換メッセージを、該ネットワーク・コントローラから受領して、該位置情の送付工程に応答して、該移動局を、無認可の第１無線通信システムの第２ネットワーク・コントローラに向けて方向転換する。
【請求項２３】請求項２２記載の移動局において、該
設定されたデータ通信接続を利用して、該位置情報を含む登録要求が送付される。
【請求項２４】請求項２２記載の移動局において、該接続は、無線アクセスポイントを介しておこなわれ、該位置情報は、該アクセスポイントの識別を含む。
【請求項２５】請求項２２記載の移動局において、該位置情報は、セルラー通信システムのセルの識別を含み、該移動局は、該セルラー通信システムと通信するためのインターフエースを更に含み、該インターフエースを介して、該セルラー通信システムのセルが識別される。
【手続補正２】
【補正対象書類名】明細書
【補正対象項目名】００２４
【補正方法】削除
【補正の内容】
【手続補正３】
【補正対象書類名】明細書
【補正対象項目名】００２５
【補正方法】変更
【補正の内容】
【００２５】
図６は、一実施例の、登録後に、異なるネットワーク・コントローラに移動局を方向転換するように利用されるメッセージ及び動作を図示しているメッセージ及びデータのフロー線図である。
【手続補正４】
【補正対象書類名】明細書
【補正対象項目名】００２６
【補正方法】変更
【補正の内容】
【００２６】
図７は、一実施例の、登録中に、位置情報を提供するように利用されるメッセージ及び動作を図示しているメッセージ及びデータのフロー線図である。
【手続補正５】
【補正対象書類名】明細書
【補正対象項目名】００２７
【補正方法】変更
【補正の内容】
【００２７】
図８は、登録後に、位置情報を更新するように利用されるメッセージ及び動作を図示しているメッセージ及びデータのフロー線図である。
【手続補正６】
【補正対象書類名】明細書
【補正対象項目名】００２８
【補正方法】変更
【補正の内容】
【００２８】
図９は、一実施例のユーザ・ターミナルのブロック線図である。
【手続補正７】
【補正対象書類名】明細書
【補正対象項目名】００２９
【補正方法】変更
【補正の内容】
【００２９】
図１０は、実施例の通信ネットワーク・コントローラのブロック線図である。
【手続補正８】
【補正対象書類名】明細書
【補正対象項目名】００９３
【補正方法】変更
【補正の内容】
【００９３】
緊急事態や他の目的に対する位置サービス
下記は、ＭＳからの呼出或はＭＳへの呼出を処理すべくＵＮＣを選択するために使用され得る方法を示す。所定の段階で、ＵＮＣはＭＳから位置情報を受信する。この位置情報は、幾つかの異なる形態の内の任意のものを取り得る。一実施例において、位置情報はすぐ近くのセルラー基地局のＩＤを含む。図７の情報ＭＳ１０２の例に対して、位置情報は、幾つかのＢＴＳ１２０のＢＳＩＤ（基地局ＩＤ）或はＢＳＣＣ（基地局カラー・コード）等のＩＤを含み得る。図７の例において、これらは基地局であり、ＭＳの範囲内である。位置情報は受信セルラー基地局ＩＤ各々と関連されたＲｘＬＥＶ（受信レベル）或はＲＳＳＩ（受信信号強度指標）をも含み得る。
【手続補正９】
【補正対象書類名】明細書
【補正対象項目名】００９６
【補正方法】変更
【補正の内容】
【００９６】
別の段階で、ＵＮＣはこの比較に基づきネットワーク・コントローラを選択する。選択は、ＣＧＩをマッピング・テーブルに適用することによって或は様々な他の方法で為され得る。これらの方法は、先に述べたリストの内の１つから、或は、移動局に対する最良の基地局を選択することによって、適切なＡＰに対するアドレスを読み取ることを含み、選択された基地局と結合されたモバイル・スイッチング・センタを識別し、その識別されたモバイル・スイッチング・センタと結合されたスイッチング・ネットワーク・コントローラを選択する。もしその位置が無線ＡＰと関係していれば、ＡＰの位置が決定された後に、その選択は、接続された無線アクセスポイントの決定された位置近くの位置に貢献するモバイル・スイッチング・センタを識別し、その識別されたモバイル・スイッチング・センタと結合されたネットワーク・コントローラを選択することによって為され得る。その選択は特定の用途に対して適切であるような様々な他の方法で為され得る。
【手続補正１０】
【補正対象書類名】明細書
【補正対象項目名】００９７
【補正方法】変更
【補正の内容】
【００９７】
別の段階で、ＵＮＣは選択されたネットワーク・コントローラに対するアドレスをＭＳに送信する。これはそのＭＳがアドレスを記録し、そのＵＮＣとの接続を設定することを可能としている。選択されたＵＮＣはその選択されたＵＮＣと同一であり得るか、或は、その選択を為すＵＮＣはＭＳを異なるＵＮＣに方向転換し得る。一実施例において、ＵＮＣは既存の呼出或は登録をそれが選択したＵＮＣに更に転送する。
【手続補正１１】
【補正対象書類名】明細書
【補正対象項目名】００９８
【補正方法】変更
【補正の内容】
【００９８】
下記は、一方ではＭＳ及びＡＰの間、そして他方では、第１ＵＮＣ及び第２ＵＮＣの間を通過し得る信号シーケンスの一例を示す。図１のシステム・アーキテクチャの特定の局面は、左から右へ、移動局（例えばＭＳ１０２）、アクセスポイント（例えばＷＬＡＮ
ＡＰ１２８）、第１ＵＮＣ（例えばＵＮＣ１４０）、並びに、第２ＵＮＣ（例えばＵＮＣ１４０）である。この実施例に示される信号はシグナル伝達と関係し、トラフィック或はペイロードの流れを指示しない。
【手続補正１２】
【補正対象書類名】明細書
【補正対象項目名】００９９
【補正方法】変更
【補正の内容】
【００９９】
下記は、ＵＮＣ（ＵＮＣ１４０）に登録して、登録中に別のＵＮＣ（ＵＮＣ２）に向けて方向転換されているＭＳの一例を示している。この登録は先に記載されたものを含む相互に異なる様々な形態を採用し得る。特に、この例において、ＭＳは第１ＵＮＣからサービスを要求して、位置情報を提供する。次いでそれは第２ＵＮＣに方向転換される。第２ＵＮＣはＭＳの報告済み位置に対してより適切であり得る。
【手続補正１３】
【補正対象書類名】明細書
【補正対象項目名】０１００
【補正方法】変更
【補正の内容】
【０１００】
ステップＡにおいて、ＭＳはＡＰの適用範囲内に入って、ＡＰとの無線リンクを設定する。これは無認可周波数を用いてＷＬＡＮ接続であり得る。ステップＢにおいて、ＭＳは接続を設定すべくＵＮＣを捜す。これは、ＵＮＣに対してＤＮＳ（ドメイン・ネーム・システム）審問を実行することによって為され得る。これは第１ＵＮＣ
ＩＰアドレスへの接続を始動する。ＭＳは第１ＵＮＣを選択するが、それが使用された最後のＵＮＣ ＩＰアドレスであるから、それがデフォルトＵＮＣであり得るから、それが初期登録に対してＭＳに対して割り当てられたホームＵＮＣであり得るから、或は、それがＡＰ及びＣＧＩによって割り出された接続済みＵＮＣから成るキャッシュから選択され得るからである。ステップＣにおいて、ＵＮＣ及びＭＳはＴＣＰ接続を設定する。ＭＳ及びＵＮＣ間のＩＰＳｅｃセキュリティ手続きは、検討されていない。
【手続補正１４】
【補正対象書類名】明細書
【補正対象項目名】０１０１
【補正方法】変更
【補正の内容】
【０１０１】
ステップＤにおいて、ＭＳは登録メッセージをＵＮＣに送信する。この登録メッセージは数多くの相互に異なる形態を採用し得る。一実施例において、登録メッセージはＵＭＡ
ＵＲＲ-登録要求メッセージに対してモデル化され得る。通常の登録内容に加えて、そうしたメッセージは、その接続に対する理由、ＡＰに対するＩＤ番号及びアドレス、並びに、範囲内にある送信基地局についての情報を含み得る。
【手続補正１５】
【補正対象書類名】明細書
【補正対象項目名】０１０３
【補正方法】変更
【補正の内容】
【０１０３】
ステップＥにおいて、ＵＮＣは位置についての受信情報を評価して、ＭＳに対して適切なＵＮＣを選択する。この選択はそのＭＳが同一ＡＰとの接続が維持されている限り、維持され得る。先に述べたように、その適切なＵＮＣを選択する相互に異なる様々な方法が存在する。一実施例において、ＵＮＣは基地局情報を最良基地局に対するＭＳＣと対応するＵＮＣにマッピングする。別の実施例において、ＵＮＣはＡＰのＩＤを位置にマッピングし、対応するＭＳＣにマッピングし、そして対応するＵＮＣにマッピングする。別の実施例において、ＵＮＣは基地局或はＡＰについての位置情報を何等有しないが、位置情報を含んだＡＰからの先行する登録を有して、その上でＵＮＣを選択する。
【手続補正１６】
【補正対象書類名】明細書
【補正対象項目名】０１０４
【補正方法】削除
【補正の内容】
【手続補正１７】
【補正対象書類名】明細書
【補正対象項目名】０１０５
【補正方法】変更
【補正の内容】
【０１０５】
ステップＦにおいて、ＵＮＣは登録要求を承認し、その選択されたＵＮＣに対するアドレスをＭＳに送信する。そのアドレスはＦＱＤＮ（完全に記述されたドメイン・ネーム）の形態、或は、任意の他の形態であり得る。線Ｆの承認はＵＭＡ
ＵＲＲレジスタ方向転換と類似の形態、或は、他の様々な形態の何れかであり得る。
【手続補正１８】
【補正対象書類名】明細書
【補正対象項目名】０１０６
【補正方法】変更
【補正の内容】
【０１０６】
ステップＧにおいて、ＭＳは選択されたＵＮＣに対するＤＮＳ審問を実行する。それは第１ＵＮＣへの接続を解放して、第２ＵＮＣ
ＩＰアドレスへの接続を始動し得る。したがって、ステップＨにおいて、ＴＣＰ接続はＭＳ及び新ＵＮＣの間に設定されて、該ＵＮＣに向かってＭＳは方向転換させられる。ステップＨにおいて、接続はＭＳ及び第２ＵＮＣの間に設定される。ＩＰＳｅｃトンネルは再使用され得るか、或は、新しいものが設定され得る（不図示）。
【手続補正１９】
【補正対象書類名】明細書
【補正対象項目名】０１０７
【補正方法】変更
【補正の内容】
【０１０７】
ステップＩにおいて、ＭＳは類似の登録要求メッセージを第２ＵＮＣに送信し得る。このメッセージはステップＤのメッセージと類似し得る。ＵＲＲレジスタ要求タイプのメッセージにおいて、理由フィールドは通常接続の代わりに方向転換に対する値を運び得る。登録要求における情報は、新ＵＮＣに対して、それがＭＳに更に方向転換しなければならない情報を適用させる。それがＡＰの位置により近接しているので、そのＡＰ、すぐ近くの基地局、或は、ネットワーク・リソース割り当てについてのより多くの或はより良好な情報を有し得てから、ＭＳへ更に方向転換し得る。理由フィールドは、ＭＳに方向転換の数について知らせるべく使用され得る。それは、ＭＳが単一ＡＰで経験し得る全方向転換数を１つ、それ以上、或は、他の任意の数に限定すべく使用され得る。
【手続補正２０】
【補正対象書類名】明細書
【補正対象項目名】０１０８
【補正方法】変更
【補正の内容】
【０１０８】
ステップＪにおいて、ＵＮＣとの接続はその通常進路に沿って続行する。これは、登録承認、呼出セットアップ及び分解、並びに、セキュリティ対策を含む様々な相互に異なる支援音声或はデータ・サービスを含み得る。
【手続補正２１】
【補正対象書類名】明細書
【補正対象項目名】０１０９
【補正方法】変更
【補正の内容】
【０１０９】
図７において、ＭＳは記録するが任意の位置情報を送信できない。ひとたびそれが位置情報を有したならば、それをＵＮＣに送信し、それがＵＮＣに記録されてから、より適切なＵＮＣに方向転換される。ＭＳは図７に示されるものと類似のプロセスを用いて、随時、その位置を更新し得る。図７のメッセージは、段落【００９８】に始まる実施例のメッセージや、段落【０１１３】に始まる実施例のメッセージや、或は、図９の実施例のメッセージに追従し得る。
【手続補正２２】
【補正対象書類名】明細書
【補正対象項目名】０１１２
【補正方法】変更
【補正の内容】
【０１１２】
ステップＤにおいて、そのＵＮＣは位置情報を適用して、ＭＳに対して最適なＵＮＣを決定する。これは、同一のもの、或は、ＭＳが既に記録されているものとは異なるＵＮＣであり得る。先に述べたアプローチの内の任意の１つ或はそれ以上はＵＮＣを選択すべく使用され得る。ステップＤにおいて、もし適切であればＭＳは方向転換され、その方向転換されたＵＮＣに記録する。これはＵＲＲレジスタ方向転換コマンドで為され得る。これらのトランザクションは、段落【０１０６】―段落【０１０８】で説明されたステップｇ-ｊと類似の形態を採用し得る。
【手続補正２３】
【補正対象書類名】明細書
【補正対象項目名】０１１３
【補正方法】変更
【補正の内容】
【０１１３】
図８において、ＭＳは登録中に任意の位置情報を提供できない。線Ａにおいて、ＭＳ１０２はＡＰ１２８の適用範囲に入って、ＷＬＡＮチャネル等の無認可チャネルにわたる通信リンクを設定する。ステップＢにおいて、ＭＳはＡＰを通じてこの接続を使用して、ＵＮＣ１４０への接続を設定する。段落【０１０６】―段落【０１０８】の実施例や、図７におけるように、これはデフォルトＵＮＣ、それが記録する最後のＵＮＣ、ＡＰによって提供されるＵＮＣ、或は、他の任意の方式で選択されたＵＮＣであり得る。ステップＣにおいて、ＭＳ及びＵＮＣはＴＣＰ接続を設定する。
【手続補正２４】
【補正対象書類名】明細書
【補正対象項目名】０１１４
【補正方法】変更
【補正の内容】
【０１１４】
段落【０１０１】―段落【０１０２】の実施例におけるように、ＴＣＰ接続が設定された後、ＭＳは位置情報を含むその登録メッセージを送信する。しかしながら図７の例において、ＭＳは任意の基地局送信を受信することができず、それでセル情報フィールドは空である。ＭＳはＡＰ、例えば、ＩＤ番号、ＭＡＣ（メディア・アクセス制御）アドレス、或はＢＤ（ブルートゥース（商標）装置）アドレスについての情報を送信できる。ＵＮＣはセル情報フィールドを使用し得て、ＧＳＭセルの解決へのＭＳの位置を決定する。しかしながらもしこの情報が有効でなければ、ＵＮＣは、マッピング或はルックアップ表若しくはデータベースにおいてＡＰを調べて、ＡＰの解決へのＭＳ位置を決定する。もしＡＰの位置が精密に知られれば、ＡＰの範囲はＧＳＭセルの範囲よりもより精密になる。典型的には、ＡＰは１０から１００メートル程度の範囲を有する一方、ＧＳＭセルはキロメートルの範囲を有する。しかしながら、様々な送信器及び受信器の範囲は特定の具現化例に依存する。
【手続補正２５】
【補正対象書類名】明細書
【補正対象項目名】０１１６
【補正方法】変更
【補正の内容】
【０１１６】
ステップＦにおいて、接続手続きは図５のステップｇ-ｊと類似の方式で続行する。ネットワークのコンフィギュレーションに依存して、オペレータ或は接続サービス会社は任意の位置情報を有しない加入者にサービスを提供しない選択を為し得る。そうした場合、ＵＮＣは代わりに登録の試みを拒絶する。代替的には、ＵＮＣは位置情報を有しないサービス加入者へ向けて構成されているＵＮＣにＭＳを方向転換し得る。例えば、このＵＮＣは緊急サービスに対する任意の要求を否定するように構成され得るか、或は、位置情報の欠如に適応する方式で緊急サービスを提供するように構成され得る。
【手続補正２６】
【補正対象書類名】明細書
【補正対象項目名】０１１７
【補正方法】変更
【補正の内容】
【０１１７】
図９において、ＭＳは位置情報無しでの登録後に位置情報を更新する。図９のメッセージは、段落【００９８】から始まる実施例のものや、図７−図８の実施例のものに追従する。
【手続補正２７】
【補正対象書類名】明細書
【補正対象項目名】０１２１
【補正方法】変更
【補正の内容】
【０１２１】
特定設備、サービス、イベントから成るシーケンス、並びに、信号のタイプは例示目的のみで提供されている。段落【００９８】―段落【０１０２】の実施例がＶｏＩＰ
ＷＬＡＮ ＡＰ及びＧＳＭセルラー・ネットワークの関連で表示されているが、適切な変更は他のタイプのネットワーク及びプロトコルと応ずるべく為され得る。無線移動局及び無線アクセスポイントに加えて、本発明の実施例は、企業システム及びネットワーク、私用及び公共交換網及び他の有線網、インターネット或は他の任意の通信媒体を通じてＵＮＣ或は類意の装置と接続し得る無線及びハイブリッド・システムを含む、他のタイプの加入者設備に適用され得る。
【手続補正２８】
【補正対象書類名】明細書
【補正対象項目名】０１２３
【補正方法】変更
【補正の内容】
【０１２３】
図９は、本発明の幾つかの実施例に従って使用され得るＭＳ１３１の例を示す。図９の例は、デュアル・モード・セルラー電話、コードレス電話、ＰＤＡ、携帯コンピュータ、或はより大きなコンピュータ内の通信カードに類似している形態であり得る。ＭＳの機能は、ディスプレイ２１５、ユーザ入力装置２１７、マイク２１９、並びに、スピーカ２２１と結合されたコントローラ２１３によって管理される。これら構成要素はＭＳ内に組み込まれるように示されているが、例えばデュアル・モード携帯電話において為され得るように、それら構成要素の内の１つ或はそれ以上は外部であり得る。マイク及びスピーカは外部の有線或は無線のヘッドホン或は送受話器であり得て、入力装置は外部の指示装置或はキーボードであり得て、ディスプレイはスタンドアローン型モニタであり得る。外部構成要素は、ＷＬＡＮ或はブルートゥース（商標）無線接続でのように、装置と配線接続されるか無線で結着され得る。図示されたユーザ・インターフェース構成要素の内の任意の１つ或はそれ以上は、特定用途用に除去され得る。
【手続補正２９】
【補正対象書類名】明細書
【補正対象項目名】０１２６
【補正方法】変更
【補正の内容】
【０１２６】
図９のＭＳは単一アンテナ２３３からの２つのラジオ経路を示す。より多くのラジオ経路が使用され得て、もし複数のラジオシステムが充分に類似していれば、異なるラジオ・インターフェースが単一経路によって運ばれることができる。アンテナは、適切なシステムから適切なラジオに信号を経路指定するＲＦコントローラによって制御されるデュプレクサ２３１と結合されている。デュプレクサは受動周波数マルチプレクサ及びデマルチプレクサであり得るか、或は、能動的装置であり得る。デュプレクサは、企業ドメイン１１１において通信できる企業ラジオ２３７と結合されると共に、公共ドメイン１１３において通信できる認可帯域ラジオ２４１と結合される。
【手続補正３０】
【補正対象書類名】明細書
【補正対象項目名】０１２７
【補正方法】変更
【補正の内容】
【０１２７】
ＲＦコントローラによって制御されるラジオ２３７，２４１は、増幅器、周波数変換器、マルチプレクサ、デマルチプレクサ、イコライザー、アナログ・ディジタル変換器、エンコーダ、デコーダ、スプリッタ及びコンバイナ、スプレッダ、デスプレッダ、並びに、他の要素を含み得る。ラジオは、各々、音声及びデータ・コーディック２３５，２３９と結合されており、次いでそれら音声及びデータ・コーディックはホストＤＳＰと結合されている。アンテナから受信されたデータ或は音声はデュプレクサを通じて適切なラジオに伝播すると共に、コーディックを通じてホストＤＳＰそして表示、出力、再生、或は、記憶のためのコントローラに伝播する。送信されるべきデータ或は音声はＤＳＰを通じてコントローラから、デュプレクサ及びアンテナを通じて適切なコーディック及びラジオまでの反対経路を追従する。ラジオの特定タイプや送受信鎖は異なる用途に適合することができる。図９に示されるものよりも多かれ少なかれの構成要素はＭＳ内で使用され得る。送受信鎖は図示の如くに組み合わせられ得るか或は分離され得る。
【手続補正３１】
【補正対象書類名】明細書
【補正対象項目名】０１２８
【補正方法】変更
【補正の内容】
【０１２８】
図１０はネットワーク・コントローラ１４７の一例を示し、それは本発明の実施例に従ってデータ通信に使用され得て、移動局１３１を電話網１０４と継ぎ目無しに相互接続する。ネットワーク・コントローラはコントローラ３１３を有し、それがＲＡＭ、ＲＯＭ、フラッシュメモリ、並びに、ディスク・ドライブ等の１つ或はそれ以上の記憶装置３１５と結合されると共に、ユーザ・インターフェース装置或は遠隔統治及び管理インターフェース等の１つ或はそれ以上のＩ／Ｏ装置３１７と結合されている。記憶装置は装置によって通信されるべきデータと共に、コントローラ用のオペレーティング及びアプリケーション指示を含有し得る。
【手続補正３２】
【補正対象書類名】明細書
【補正対象項目名】０１４０
【補正方法】変更
【補正の内容】
【０１４０】
【図１Ａ】図１Ａは本発明の一実施例の屋内アクセス・ネットワーク（ＩＡＮ）移動サービス・ソリューションの全体図である。
【図１Ｂ−Ｃ】図１Ｂは一実施例の移動セットのプロトコル層を図示し、図１Ｃは一実施例のプロトコル変換の方法を図示している。
【図２Ａ−Ｂ】図２Ａはブルートゥース（商標）・シグナル伝達を介して無認可ラジオ・リンクを提供する移動局の一実施例に対するレベル１、レベル２、並びに、レベル３のＧＳＭ関係プロトコル・アーキテクチャの全体を図示し、図２ＢはＩＥＥＥ８０２．１１シグナル伝達を介して無認可ラジオ・リンクを提供する移動局の一実施例に対するレベル１、レベル２、並びに、レベル３のＧＳＭ関係プロトコル・アーキテクチャの全体を図示している。
【図３Ａ】図３Ａは一実施例のＵＭＡ特定シグナル伝達と共に、ＣＳドメイン・シグナル伝達を支持してのアップインターフェース・プロトコル・アーキテクチャの説明図である。
【図３Ｂ−Ｃ】図３Ｂは移動局によって利用されるブルートゥース（商標）下方層と物理的層通信を促進するアクセスポイントとを示し、図３Ｃは移動局によって利用されるブルートゥース（商標）下方層と物理的層通信を促進するアクセスポイントの説明図である。
【図３Ｄ】図３Ｄは一実施例のＧＳＭ音声送信を支持してのアップＣＳドメイン音声伝達プロトコル・アーキテクチャの説明図である。
【図３Ｅ】図３Ｅは一実施例のアップＧＰＲＳユーザ・プレイン・プロトコル・アーキテクチャの説明図である。
【図３Ｆ】図３Ｆは一実施例のＧＰＲＳシグナル伝達を支持してのアップ・プロトコル・アーキテクチャを図示している。
【図４】一実施例の幾つかの可能なＧＳＭ及びＵＭＡシナリオを図示している。
【図５】一実施例における例示的な移動性管理機能を図示している。
【図６】図６は、一実施例の登録後に、異なるネットワーク・コントローラに移動局を方向転換するように利用されるメッセージ及び動作を図示しているメッセージ及びデータのフロー線図である。
【図７】図７は、一実施例の登録中に、位置情報を提供するように利用されるメッセージ及び動作を図示しているメッセージ及びデータのフロー線図である。
【図８】登録後に、位置情報を更新するように利用されるメッセージ及び動作を図示しているメッセージ及びデータのフロー線図である。
【図９】一実施例のユーザ・ターミナルのブロック線図である。
【図１０】実施例の通信ネットワーク・コントローラのブロック線図である。
【符号の説明】
【手続補正３３】
【補正対象書類名】図面
【補正対象項目名】図６
【補正方法】変更
【補正の内容】
【図６】
2007535846.tif 000001
【手続補正３４】
【補正対象書類名】図面
【補正対象項目名】図７
【補正方法】変更
【補正の内容】
【図７】
2007535846.tif 000002
【手続補正３５】
【補正対象書類名】図面
【補正対象項目名】図８
【補正方法】変更
【補正の内容】
【図８】
2007535846.tif 000003
【手続補正３６】
【補正対象書類名】図面
【補正対象項目名】図９
【補正方法】変更
【補正の内容】
【図９】
2007535846.tif 000004
【手続補正３７】
【補正対象書類名】図面
【補正対象項目名】図１０
【補正方法】変更
【補正の内容】
【図１０】
2007535846.tif 000005